(57)【特許請求の範囲】
【請求項１】
パネルフレームと、このパネルフレームの屋外側に設けられた窯業系材料から成る表面外装材及び窯業系材料又は火山性ガラス質複層材から成る内側外装材を備えた二重外装部と、パネルフレームの室内側に設けられた強化石膏ボードと、これらの間に設けられたロックウール保温材とを備えて成る外壁パネルを複数枚配置し、目地となる隣り合う表面外装材間にはシーリング材を設け、隣り合う内側外装材間にはガラス繊維不織布マットを設け、隣り合うパネルフレーム間にはロックウール保温材を設けたことを特徴とする耐火建物構造。
【請求項２】
請求項１に記載の耐火建物構造において、強化石膏ボードの縁を目地となるパネルフレームと面一に合わせ、隣り合う強化石膏ボード間にもロックウール保温材を存在させたことを特徴とする耐火建物構造。
【請求項３】
請求項１に記載の耐火建物構造において、強化石膏ボードにて目地部を塞ぎ、隣り合う強化石膏ボードの縁同士をパネルフレームの室内側の面上で対面させたことを特徴とする耐火建物構造。
【請求項４】
請求項１に記載の耐火建物構造において、パネルフレームの室内側の面に当接させて金属製スタッドを設けることにより強化石膏ボードとロックウール保温材との間に空間部を形成し、隣り合う強化石膏ボードの縁同士を金属スタッドの室内側の面上で対面させたことを特徴とする耐火建物構造。
【請求項５】
パネルフレームと、このパネルフレームの屋外側に設けられた窯業系材料から成る表面外装材及び窯業系材料又は火山性ガラス質複層材から成る内側外装材を備えた二重外装部と、パネルフレームの室内側に設けられた強化石膏ボードと、これらの間に設けられたロックウール保温材とを備えて成る外壁パネルを複数枚配置し、目地となる隣り合う表面外装材間にはシーリング材を設け、隣り合う内側外装材間にはガラス繊維不織布マットを設け、隣り合うパネルフレーム間にはロックウール保温材を設け、繊維混入けい酸カルシウム板から成る断面コ字形状乃至断面ロ字形状の筒体を二箇所の目地部を塞ぐように配置し、前記筒体内に柱を位置させたことを特徴とする耐火建物構造。
【請求項６】
請求項５に記載の耐火建物構造において、筒体を配置した箇所外のパネルフレームの室内側の面に当接させて金属製スタッドを設けることにより強化石膏ボードとロックウール保温材との間に空間部を形成したことを特徴とする耐火建物構造。
【請求項７】
パネルフレームと、このパネルフレームの屋外側に設けられた窯業系材料から成る表面外装材及び窯業系材料又は火山性ガラス質複層材から成る内側外装材を備えた二重外装部と、パネルフレームの室内側に設けられた強化石膏ボードと、これらの間に設けられたロックウール保温材とを備えて成る外壁パネルを複数枚配置し、目地となる隣り合う表面外装材間にはシーリング材を設け、隣り合う内側外装材間にはガラス繊維不織布マットを設け、隣り合うパネルフレーム間にはロックウール保温材を設け、且つ、外壁パネルが連結される階間梁の屋内側を覆うように無機繊維フェルトを設けたことを特徴とする耐火建物構造。
【請求項８】
請求項７に記載の耐火建物構造において、階間部外の箇所のパネルフレームの室内側の面に当接させて金属製スタッドを設けることにより強化石膏ボードとロックウール保温材との間に空間部を形成したことを特徴とする耐火建物構造。
【請求項９】
請求項４、請求項６、又は請求項８のいずれかに記載の耐火建物構造において、空間部にロックウール保温材又はグラスウールを配置したことを特徴とする耐火建物構造。
【発明の詳細な説明】
【０００１】
【産業上の利用分野】
この発明は、耐火建物構造に関する。
【０００２】
【従来の技術】
図８（ａ）に示すように、隣り合う外壁パネル５１・５１間における従来の目地間構造を示している。パネルフレーム５２の屋外側の面には、窯業系材料又は火山性ガラス質複層材から成る内側外装材５３ａ及び窯業系材料から成る表面外装材５３ｂを備えた二重外装部５３が設けられている。また、パネルフレーム５２の室内側の面には、窯業系材料板５４が設けられている。二重外装部５３と外装材５４との間には、ロックウール保温材５５が設けられている。パネルフレーム５２・５２間及び内側外装材５３ａ間には、ガラス繊維不織布マット５７が設けられ、隣り合う表面外装材５３ｂ・５３ｂ間には、シーリング材５８が設けられている。また、窯業系材料板５４・５４間には、シーリング材５９が設けられている。
【０００３】
図８（ｂ）は、隣り合う外壁パネル５１・５１間における従来の目地間構造並びに当該目地間に対応した箇所に設けられた従来の柱耐火構造を示している。かかる構造においては、柱６０に吹き付けロックウール６１を施している。
【０００４】
図９は隣り合う外壁パネル５１・５１間における従来の目地間構造並びに当該目地間に対応した従来の階間梁耐火構造を示している。かかる構造においては、階間の梁６２に吹き付けロックウール６１を施している。
【０００５】
【発明が解決しようとする課題】
上記従来の耐火建物構造では、高い耐火性能が得られるものの、コスト高であるという欠点がある。また、吹き付けロックウールを施すため、作業環境はあまり良好とはいえない。
【０００６】
この発明は、上記の事情に鑑み、高い耐火性能を低コストで得ることができ、また、作業環境を良好にできる耐火建物構造を提供することを目的とする。
【０００７】
【課題を解決するための手段】
この発明の耐火建物構造は、上記の課題を解決するために、パネルフレームと、このパネルフレームの屋外側に設けられた窯業系材料から成る表面外装材及び窯業系材料又は火山性ガラス質複層材から成る内側外装材を備えた二重外装部と、パネルフレームの室内側に設けられた強化石膏ボードと、これらの間に設けられたロックウール保温材とを備えて成る外壁パネルを複数枚配置し、目地となる隣り合う表面外装材間にはシーリング材を設け、隣り合う内側外装材間にはガラス繊維不織布マットを設け、隣り合うパネルフレーム間にはロックウール保温材を設けたことを特徴とする。
【０００８】
上記構成においては、屋外側に近くて比較的容積が小さい内側外装材間には、目地充填材としてガラス繊維不織布マットを採用する一方で、目地部として比較的容積が大きいパネルフレーム間には、目地充填材としてガラス繊維不織布マットよりも割安なロックウール保温材を設け、更に、パネルフレームの内面側には窯業系材料よりも割安な強化石膏ボードを設けたことにより、高い耐火性能を維持しつつコスト低減が図れることになる。
【０００９】
強化石膏ボードの縁を目地となるパネルフレームと面一に合わせ、隣り合う強化石膏ボード間にもロックウール保温材を存在させてもよい。また、強化石膏ボードにて目地部を塞ぎ、隣り合う強化石膏ボードの縁同士をパネルフレームの室内側の面上で対面させてもよい。また、パネルフレームの室内側の面に当接させて金属製スタッドを設けることにより強化石膏ボードとロックウール保温材との間に空間部を形成し、隣り合う強化石膏ボードの縁同士を金属スタッドの室内側の面上で対面させてもよい。
【００１０】
また、この発明の耐火建物構造は、パネルフレームと、このパネルフレームの屋外側に設けられた窯業系材料から成る表面外装材及び窯業系材料又は火山性ガラス質複層材から成る内側外装材を備えた二重外装部と、パネルフレームの室内側に設けられた強化石膏ボードと、これらの間に設けられたロックウール保温材とを備えて成る外壁パネルを複数枚配置し、目地となる隣り合う表面外装材間にはシーリング材を設け、隣り合う内側外装材間にはガラス繊維不織布マットを設け、隣り合うパネルフレーム間にはロックウール保温材を設け、繊維混入けい酸カルシウム板から成る断面コ字形状乃至断面ロ字形状の筒体を二箇所の目地部を塞ぐように配置し、前記筒体内に柱を位置させたことを特徴とする。
【００１１】
上記構成においては、屋外側に近くて比較的容積が小さい内側外装材間には、目地充填材としてガラス繊維不織布マットを採用する一方で、目地部として比較的容積が大きいパネルフレーム間には、目地充填材としてガラス繊維不織布マットよりも割安なロックウール保温材を設け、更に、パネルフレームの内面側には窯業系材料よりも割安な強化石膏ボードを設け、更に、繊維混入けい酸カルシウム板から成る筒体内に柱を位置させたので、高い耐火性能を維持しつつコスト低減が図れると共に、柱に吹き付けロックウールを施すことに比べ、作業環境を大幅に改善することができる。また、前記の筒体は二箇所の目地部を塞ぐように設けられるので、筒体内空間を目地に連通させない構造となり、高い耐火性能が得られる。
【００１２】
筒体を配置した箇所外のパネルフレームの室内側の面に当接させて金属製スタッドを設けることにより強化石膏ボードとロックウール保温材との間に空間部を形成してもよい。
【００１３】
また、この発明の耐火建物構造は、パネルフレームと、このパネルフレームの屋外側に設けられた窯業系材料から成る表面外装材及び窯業系材料又は火山性ガラス質複層材から成る内側外装材を備えた二重外装部と、パネルフレームの室内側に設けられた強化石膏ボードと、これらの間に設けられたロックウール保温材とを備えて成る外壁パネルを複数枚配置し、目地となる隣り合う表面外装材間にはシーリング材を設け、隣り合う内側外装材間にはガラス繊維不織布マットを設け、隣り合うパネルフレーム間にはロックウール保温材を設け、且つ、外壁パネルが連結される階間梁の屋内側を覆うように無機繊維フェルトを設けたことを特徴とする。
【００１４】
上記構成においては、屋外側に近くて比較的容積が小さい内側外装材間には、目地充填材としてガラス繊維不織布マットを採用する一方で、目地部として比較的容積が大きいパネルフレーム間には、目地充填材としてガラス繊維不織布マットよりも割安なロックウール保温材を設け、更に、パネルフレームの内面側には窯業系材料よりも割安な強化石膏ボードを設け、更に、外壁パネルが連結される階間梁の屋内側を覆うように無機繊維フェルトを設けたので、高い耐火性能を維持しつつコスト低減が図れると共に、階間梁に吹き付けロックウールを施すことに比べ、作業環境を大幅に改善することができる。
【００１５】
階間部外の箇所のパネルフレームの室内側の面に当接させて金属製スタッドを設けることにより強化石膏ボードとロックウール保温材との間に空間部を形成してもよいものである。また、この空間部及び先述した構成における空間部に、ロックウール保温材又はグラスウールを配置してもよいものである。
【００１６】
【発明の実施の形態】
以下、この発明の実施形態の耐火建物構造を図１乃至図７に基づいて説明していく。
【００１７】
図１（ａ）は、隣り合う外壁パネル１・１間の目地間構造を示している。外壁パネル１は、断面コ字形状の綱を枠状に配置固定したパネルフレーム２と、このパネルフレーム２の屋外側の面に設けられた二重外装部３と、パネルフレーム２の室内側の面に設けられた強化石膏ボード４と、これら二重外装部３と強化石膏ボード４との間に設けられたロックウール保温材５とから成る。二重外装部３は内側外装材３ａと表面外装材３ｂとによって構成されている。内側外装材３ａは、窯業系材料又は火山性ガラス質複層材から成り、パネルフレーム２の屋外側の面に当接して留付けねじにてパネルフレーム２に取り付けられている。表面外装材３ｂは、窯業系材料から成り、内側外装材３ａ上に接着剤によって貼り付けられ、且つ留付けねじにてパネルフレーム２に取り付けられている。強化石膏ボード４は、石膏にガラス繊維などの無機繊維材料を混ぜて耐火性を高めた不燃材である。
【００１８】
隣り合う外壁パネル１・１のパネルフレーム２・２間にはロックウール保温材１号６が設けられ、内側外装材３ａ・３ａ間にはガラス繊維不織布マット７が設けられ、表面外装材３ｂ・３ｂ間にはシーリング材８が設けられている。そして、強化石膏ボード４の縁は目地となるパネルフレーム２と面一に設定され、隣り合う強化石膏ボード４・４間にもロックウール保温材１号６が存在している。隣り合う内側外装材３ａ・３ａ間及び隣り合う表面外装材３ｂ・３ｂ間の間隔は１２ｍｍであり、隣り合うパネルフレーム２・２間の間隔（２０ｍｍ）よりも狭くしてある。
【００１９】
かかる構成においては、屋外側に近くて比較的容積が小さい内側外装材３ａ・３ａ間には、目地充填材としてガラス繊維不織布マット７を採用する一方で、目地部として比較的容積が大きいパネルフレーム２・２間には、目地充填材としてガラス繊維不織布マット７よりも割安なロックウール保温材１号６を設け、更に、パネルフレーム２の内面側には窯業系材料よりも割安な強化石膏ボード４を設けたことにより、高い耐火性能を維持しつつコスト低減が図れることになる。
【００２０】
図１（ｂ）は、隣り合う外壁パネル１・１間の目地間構造の他の例を示しており、同図（ａ）との相違点は、強化石膏ボード４にて目地部を塞いでいる（跨いでいる）点である。隣り合う強化石膏ボード４・４の縁同士は、外壁パネル１におけるパネルフレーム２のうち、外枠部を構成していないパネルフレーム２ａの室内側の面上で対面している。かかる構造は、強化石膏ボード４の現場張り仕様として好適である。なお、外枠部を構成しているパネルフレーム２（隣り合うパネルフレーム２）の室内側の面上で強化石膏ボード４・４の縁同士を対面させてもかまわない。
【００２１】
図２（ａ）は、隣り合う外壁パネル１・１間の目地間構造の他の例を示している。図１との相違点は、外枠部を構成しているパネルフレーム２及び外枠部を構成していないパネルフレーム２ａの室内側の面に当接させて軽鉄スタッド９を設けることにより強化石膏ボード４とロックウール保温材５との間に空間部（１０〜４５ｍｍ）を形成した点である。隣り合う強化石膏ボード４・４の縁同士は軽鉄スタッド９の室内側の面上で対面させてある。かかる構造は、優れた耐火性に加えて高い遮音性を実現することができる。
【００２２】
図２（ｂ）は、隣り合う外壁パネル１・１間の目地間構造の他の例を示している。同図（ａ）との相違点は、前記の空間部（強化石膏ボード４とロックウール保温材５との間）にグラスウール１０を設けた点である。かかる構造によれば、耐火性および遮音性をより高めることができる。なお、グラスウール１０に代えてロックウール保温材を設けてもよい。
【００２３】
図３は、隣り合う外壁パネル１・１間の目地間構造並びに当該目地間に対応した箇所に設けられた柱耐火構造を示している。外壁パネル１は、パネルフレーム２と、このパネルフレーム２の屋外側の面に設けられた窯業系材料又は火山性ガラス質複層材から成る内側外装材３ａ及び窯業系材料から成る表面外装材３ｂを備えた二重外装部３と、パネルフレーム２の室内側の面に設けられた強化石膏ボード４と、これらの間に設けられたロックウール保温材５とを備えて成る。隣り合う外壁パネル１・１のパネルフレーム２・２間にはロックウール保温材１号６が設けられ、隣り合う内側外装材３ａ・３ａ間にはガラス繊維不織布マット７が設けられ、隣り合う表面外装材３ｂ・３ｂ間にはシーリング材８が設けられている。そして、強化石膏ボード４の縁は目地となるパネルフレーム２と面一に設定され、隣り合う強化石膏ボード４・４間にもロックウール保温材１号６が存在している。
【００２４】
繊維混入けい酸カルシウム板（厚２５ｍｍ）１１を丸クギにて連結固定して成る断面略コ字形状の角筒体が二箇所の目地部を塞ぐように配置されている。この角筒体のなかには柱１２が配置されている。また、柱１２と繊維混入けい酸カルシウム板１１の間には厚み６ｍｍの繊維混入けい酸カルシウム板１３を介在させてある。なお、断面略コ字形状の角筒体に限らず、断面ロ字形状の完全角筒体としてもよいし、繊維混入けい酸カルシウム板１１にて目地部を塞ぐことができるのであれば、断面コ字形状としてもよいものである。
【００２５】
かかる構成においては、屋外側に近くて比較的容積が小さい内側外装材３ａ・３ａ間には、目地充填材としてガラス繊維不織布マット７を採用する一方で、目地部として比較的容積が大きいパネルフレーム２・２間には、目地充填材としてガラス繊維不織布マット７よりも割安なロックウール保温材１号６を設け、更に、パネルフレーム２の内面側には窯業系材料よりも割安な強化石膏ボード４を設け、更に、繊維混入けい酸カルシウム板１３から成る筒体内に柱１２を位置させたので、高い耐火性能を維持しつつコスト低減が図れると共に、柱１２に吹き付けロックウールを施すことに比べ、作業環境を大幅に改善することができる。また、前記の筒体は二箇所の目地部を塞ぐように設けられるので、筒体内空間を目地に連通させない構造となり、高い耐火性能が得られる。
【００２６】
図４（ａ）は、隣り合う外壁パネル１・１間の目地間構造並びに当該目地間に対応した箇所に設けられた柱耐火構造の他の例を示している。図３との相違点は、角筒体を配置した箇所外のパネルフレーム２の室内側の面に当接させて軽鉄スタッド９を設けることにより強化石膏ボード４とロックウール保温材５との間に空間部（１０〜４５ｍｍ）を形成した点である。かかる構造は、優れた耐火性に加えて高い遮音性を実現することができる。
【００２７】
図４（ｂ）は、隣り合う外壁パネル１・１間の目地間構造並びに当該目地間に対応した箇所に設けられた柱耐火構造の他の例を示している。同図（ａ）との相違点は、前記の空間部（強化石膏ボード４とロックウール保温材５との間）にグラスウール１０を設けた点である。かかる構造によれば、耐火性および遮音性をより高めることができる。なお、グラスウール１０に代えてロックウール保温材を設けてもよい。
【００２８】
図５は、隣り合う外壁パネル１・１間の目地間構造並びに当該目地間に対応した箇所の階間梁耐火構造を示している。外壁パネル１は、パネルフレーム２と、このパネルフレーム２の屋外側の面に設けられた窯業系材料又は火山性ガラス質複層材から成る内側外装材３ａ及び窯業系材料から成る表面外装材３ｂを備えた二重外装部３と、パネルフレーム２の室内側の面に設けられた強化石膏ボード４と、これらの間に設けられたロックウール保温材５とを備えて成る。上下に隣り合う外壁パネル１・１のパネルフレーム２・２間にはロックウール保温材１号６が設けられ、隣り合う内側外装材３ａ・３ａ間にはガラス繊維不織布マット７が設けられ、隣り合う表面外装材３ｂ・３ｂ間にはシーリング材８が設けられている。そして、強化石膏ボード４の縁は目地となるパネルフレーム２と面一に設定され、隣り合う強化石膏ボード４・４間にもロックウール保温材１号６が存在している。階間に位置する梁１４に固定された支持部材１５，１６によって外壁パネル１が支持されている。そして、梁１４の屋内側を覆うようにロックウールを素材に構成された無機繊維フェルト１７が設けられている。
【００２９】
かかる構成においては、屋外側に近くて比較的容積が小さい内側外装材３ａ・３ａ間には、目地充填材としてガラス繊維不織布マット７を採用する一方で、目地部として比較的容積が大きいパネルフレーム２・２間には、目地充填材としてガラス繊維不織布マット７よりも割安なロックウール保温材１号６を設け、更に、パネルフレーム２の内面側には窯業系材料よりも割安な強化石膏ボード４を設け、更に、外壁パネル１が連結される階間梁１４の屋内側を覆うように無機繊維フェルト１７を設けたので、高い耐火性能を維持しつつコスト低減が図れると共に、階間梁１４に吹き付けロックウールを施すことに比べ、作業環境を大幅に改善することができる。
【００３０】
図６は、隣り合う外壁パネル１・１間の目地間構造並びに当該目地間に対応した箇所の階間梁耐火構造の他の例を示している。図５との相違点は、階間部外の箇所のパネルフレーム２の室内側の面に当接させて軽鉄スタッド９を設けることにより強化石膏ボード４とロックウール保温材５との間に空間部（１０〜４５ｍｍ）を形成した点である。かかる構造は、優れた耐火性に加えて高い遮音性を実現することができる。
【００３１】
図７は、隣り合う外壁パネル１・１間の目地間構造並びに当該目地間に対応した箇所の階間梁耐火構造の他の例を示している。図６との相違点は、前記の空間部（強化石膏ボード４とロックウール保温材５との間）にグラスウール１０を設けた点である。かかる構造によれば、耐火性および遮音性をより高めることができる。なお、グラスウール１０に代えてロックウール保温材を設けてもよい。
【００３２】
【発明の効果】
以上説明したように、この発明によれば、低コストで優れた耐火性能を得ることができる。更に、パネルフレームの室内側の面に金属スタッドを設けることにより強化石膏ボードとロックウール保温材との間に空間部を形成した構造、或いはこの空間部にグラスウールやロックウールを設けた構造であれば、耐火性をより高めるとともに、遮音性も高めることができるという効果を奏する。
【図面の簡単な説明】
【図１】同図（ａ）はこの発明の実施形態における目地間耐火構造を示した断面図であり、同図（ｂ）は目地間耐火構造の他の例を示した断面図である。
【図２】同図（ａ）はこの発明の実施形態における目地間耐火構造を示した断面図であり、同図（ｂ）は目地間耐火構造の他の例を示した断面図である。
【図３】目地間耐火構造並びに当該目地間に対応した箇所に設けられた柱耐火構造を示した断面図である。
【図４】同図（ａ）は目地間耐火構造並びに当該目地間に対応した箇所に設けられた柱耐火構造の他の例を示した断面図でり、同図（ｂ）は目地間耐火構造並びに当該目地間に対応した箇所に設けられた柱耐火構造の他の例を示した断面図である。
【図５】目地間耐火構造並びに当該目地間に対応した箇所の階間梁耐火構造を示した断面図である。
【図６】目地間耐火構造並びに当該目地間に対応した箇所の階間梁耐火構造の他の例を示した断面図である。
【図７】目地間耐火構造並びに当該目地間に対応した箇所の階間梁耐火構造の他の例を示した断面図である。
【図８】従来例を示した図であって、同図（ａ）は目地間耐火構造を示した断面図であり、同図（ｂ）は目地間耐火構造並びに当該目地間に対応した箇所に設けられた柱耐火構造を示した断面図である。
【図９】従来例を示した図であって、目地間耐火構造並びに当該目地間に対応した箇所の階間梁耐火構造を示した断面図である。
【符号の説明】
１    外壁パネル
２    パネルフレーム
３    二重外装部
３ａ  内側外装材
３ｂ  表面外装材
４    強化石膏ボード
５    ロックウール保温材
６    ロックウール保温材１号
７    ガラス繊維不織布マット
８    シーリング材
９    軽鉄スタッド
１０  グラスウール
１１  繊維混入けい酸カルシウム板
１２  柱
１４  梁
１７  無機繊維フェルト
【図１】
0004545924.tif 000002
【図２】
0004545924.tif 000003
【図３】
0004545924.tif 000004
【図４】
0004545924.tif 000005
【図５】
0004545924.tif 000006
【図６】
0004545924.tif 000007
【図７】
0004545924.tif 000008
【図８】
0004545924.tif 000009
【図９】
0004545924.tif 000010